(57)【特許請求の範囲】
【請求項１】
前方中央付近に開閉可能な排尿窓が形成されたトランクスタイプのパンツ本体部と；
前記本体部の内側に配置された吸収パッド部とを備え、
前記吸収パッド部は、前記パンツ本体部の排尿窓に対応する位置に、開閉可能な切り込みを有し、
前記切り込みは、前記吸収パッド部の端部を重ね合わせることによって形成されることを特徴とする失禁者用パンツ。
【請求項２】
前記吸収パッド部は、前記パンツ本体部の内側において、股間の前後に渡って吊り下げられた状態で固定されていることを特徴とする請求項１に記載の失禁者用パンツ。
【請求項３】
前記吸収パッド部は、着用者の性器周辺に配置される吸収体領域と、当該吸収体領域を支持するサポート領域とから構成され、
前記サポート領域において、少なくとも前記吸収体領域より後方の部分が、伸縮性のメッシュ素材によって形成されていることを特徴とする請求項１又は２に記載の失禁者用パンツ。
【請求項４】
前記吸収パッド部は、股間部分の幅が狭く、前後両端に向かって広くなっていることを特徴とする請求項１，２又は３に記載の失禁者用パンツ。
【発明の詳細な説明】
【０００１】
【発明の属する技術分野】
本発明は失禁者用パンツに関し、特に、トランクスタイプの男性用の軽失禁者パンツに関する。
【０００２】
【従来の技術】
軽失禁を含む失禁者用のパンツは、一般的に、パンツ本体と吸収体パッドによって構成される。吸収体パッドは、パンツ本体の内側において性器を覆うように配置される。
【０００３】
【発明が解決しようとする課題】
しかしながら、従来の男性用失禁者パンツにおいては、排尿する時にパンツ全体をおろす必要があり、その動作が煩雑である。また、排尿の際に失禁者であることが周囲の人にわかってしまい、着用者のコンプレックス、ストレスを増大させることになる。
【０００４】
また、従来の失禁者用のパンツ、特にトランクスタイプのパンツにおいては、フィット性が悪く、パッドの脇から尿が漏れ出てしまうこともあった。更に、一般的な課題（要求）として、パンツの蒸れの防止による快適性の向上がある。
【０００５】
本発明は上記のような状況に鑑みてなされたものであり、通常のパンツと同様の動作によって排尿可能な失禁者用パンツを提供することを目的とする。
【０００６】
また、本発明の他の目的は、フィット性に優れ、漏れ防止効果の高い失禁者用パンツを提供することにある。
【０００７】
【課題を解決するための手段】
上記のような課題を解決するために、前方中央付近に開閉可能な排尿窓（１８）が形成されたトランクスタイプのパンツ本体部（１２）と；本体部（１２）の内側に配置された吸収パッド部（１６）とを備えている。そして、吸収パッド部（１６）は、パンツ本体部（１２）の排尿窓（１８）に対応する位置に、開閉可能な切り込み（２４）を有する。このような構成により、着用者が排尿する際には、吸収パッド部（１６）の切り込み（２４）とパンツ本体部（１２）の排尿窓（１８）とを介して性器を露出させることが可能となる。すなわち、パンツ本体部（１２）そのものを下ろす必要が無く、容易に排尿行為を行うことができる。排尿の動作が通常のパンツの場合と区別がつかないため、着用者が失禁者であることを悟られる可能性は極めて低くなる。
【０００８】
好ましくは、切り込み（２４）は、吸収パッド部（１６）の端部を立体的に重ね合わせることによって形成される。このような構造とすることにより、製造工程の複雑化を最小限に抑えることができる他、漏れ防止効果を発揮する。
【０００９】
また、吸収パッド部（１６）を、パンツ本体部（１２）の内側において、股間の前後に渡って吊り下げられた状態で固定することが好ましい。これにより、トランクスタイプのパンツでありながら、吸収パッド部（１６）のフィット性を向上させることができ、漏れ防止効果を発揮する。
【００１０】
吸収パッド部（１６）は、着用者の性器周辺に配置される吸収体領域（２０）と、当該吸収体領域を支持するサポート領域（２２）とから構成することができる。この場合、サポート領域（２２）において、少なくとも、吸収体領域（２０）から後方の部分が、伸縮性のメッシュ素材によって形成することが好ましい。伸縮性によってフィット性の向上を図ることができ、メッシュ素材によって蒸れ防止を図ることができる。
【００１１】
更に、吸収パッド部（１６）は、股間部分の幅が狭く、前後両端に向かって広くすることが好ましい。これによって、パンツの装着感が向上する等の効果が得られる。
【００１２】
【発明の実施の形態】
以下、本発明に係る失禁者用パンツについて、軽失禁者用のパンツを例に採って説明する。なお、本発明に係る失禁者用パンツは、吸収パッド部の設計変更によって、軽度から重度の失禁者に適合させることが可能である。
【００１３】
図１は、本発明の実施例に係る軽失禁者用パンツ１０の構成を示す斜視図である。図２は、軽失禁者用パンツ１０の構成を示す内部側面図である。軽失禁者用パンツ１０は、前方中央付近に開閉可能な排尿窓１８が形成されたトランクスタイプのパンツ本体部１２と、本体部１２の内側に配置された吸収パッド部１６とを備えている。パンツ本体部１２は、吸水性及び肌触りを考慮し、例えば、綿４０番手糸を使用して製造される。吸収パッド部１６は、パンツ本体部１２の排尿窓１８に対応する位置に、開閉可能な切り込み２４を有する。吸収パッド部１６は、前後両端部をパンツ本体部１２のウエスト部１４に固定して、Ｕ字型に吊り下げた状態で使用される。吸収パッド部１６が吊り下げ方式によって支持されるため、常に股間にフィットし、尿の漏れを防止することができる。
【００１４】
図３及び図４は、吸収パッド部１６の構成を示す内側平面図及び外側平面図である。吸収パッド部１６は、着用者の性器周辺に配置される吸収体２０と、吸収体２０をサポートする伸縮性メッシュ素材からなるサポート部２２とから構成される。吸収パッド部１６は、着用者の股間部分に対応する部分の幅が最も狭く、前後端部に向かって広がった形状となっている。サポート部２２は、伸縮性があるため、着用者が激しい運動をした場合にも、股間を確実にホールドし、違和感なく使用することが可能となる。
【００１５】
吸収体２０は、外側から（１）防水フィルム、（２）消臭・吸水性不織布、（２）吸収・拡散・逆流防止機能を有する素材の３層構造となっている。吸収体２０は、図３に示すように、前方（図の上方）端部が二股に別れ、左右両側の端部２０Ｒ，２０Ｌを形成している。これら吸収体端部２０Ｒ，２０Ｌの先端には、サポート部２２の先端２２Ｒ，２２Ｌが突出している。図４に示すように、サポート部２２（メッシュ素材）は、吸収パッド部１６の外側全面に形成される。なお、サポート部２２（メッシュ素材）は必ずしも吸収パッド部１６の全面に設ける必要はなく、最低限、吸収体２０から後方の台形状の部分に設けられていれば、ほぼ同様の効果を得ることができる。
【００１６】
図６に示すように、吸収パッド部１６は、吸収体２０の両端部２０Ｒ，２０Ｌを立体的に重ね合わせた状態でパンツ本体１２に固定する。これによって、パンツ本体１２の排尿窓１８に対応する位置に立体重ね合わせ構造の切り込み２４が形成される。そして、着用者が排尿する際には、吸収パッド部１６の切り込み２４とパンツ本体部１２の排尿窓１８とを介して性器を露出させて、排尿を行う。
【００１７】
図５は、吸収パッド部１６の構成を示す内側平面図であり、各部のサイズを示す。吸収体端部２０Ｒ，２０Ｌ同士の重なり部分の幅Ｗ１は、１０〜１５ｃｍ程度、例えば、サイズに関わらず１４．５ｃｍとする。吸収体２０の最も広い部分の幅Ｗ２は、１４〜１７ｃｍ程度とし、例えば、サイズに関わらず１５．５ｃｍとする。吸収体２０の股間に対応する最も狭い部分の幅Ｗ３は、８〜１０ｃｍ程度とし、例えば、サイズに関わらず９．０ｃｍとする。サポート部２２の後側端部の幅Ｗ４は、４０〜５０ｃｍ程度とし、例えば、Ｍサイズの場合４２ｃｍ、Ｌサイズの場合４４ｃｍ、ＬＬサイズの場合４６ｃｍとする。吸収体２０の切り込み２４の長さＬ１は、１２〜１６ｃｍ程度とし、例えば、Ｍ及びＬサイズの場合１４ｃｍとし、ＬＬサイズの場合１５ｃｍとする。吸収体２０の前後方向の長さＬ２は、２５〜３５ｃｍ程度とし、Ｍサイズの場合３０ｃｍ、Ｌサイズの場合３１ｃｍ、ＬＬサイズの場合３２ｃｍとする。サポート部２２の吸収体２０から後方部分の長さＬ３は、２５〜４５ｃｍ程度とし、ＬＬサイズの場合には、例えば３８ｃｍとする。なお、上記各寸法（特にＬ２）は、伸縮部材等を設ける前の状態のものであり、実際に伸縮部材によるギャザーを形成した場合には、若干小さくなる。
【００１８】
以上、本発明の実施例について説明したが、本発明はこれらの実施例に何ら限定されるものではなく、特許請求の範囲に示された技術的思想の範疇において変更可能なものである。
【００１９】
【発明の効果】
以上説明したように、本発明においては、吸収パッド部（１６）が、パンツ本体部（１２）の排尿窓（１８）に対応する位置に、開閉可能な切り込み（２４）を備えているため、着用者が排尿する際には、吸収パッド部（１６）の切り込み（２４）とパンツ本体部（１２）の排尿窓（１８）とを介して性器を露出させることが可能となる。すなわち、パンツ本体部（１２）そのものを下ろす必要が無く、容易に排尿行為を行うことができる。排尿の動作が通常のパンツの場合と区別がつかないため、着用者が失禁者であることを悟られる可能性は極めて低くなる。
【００２０】
また、吸収パッド部（１６）の端部を立体的に重ね合わせることによって切り込み（２４）を形成した場合には、製造工程の複雑化を最小限に抑えることができる他、漏れ防止効果を発揮する。吸収パッド部（１６）を、パンツ本体部（１２）の内側において、股間の前後に渡って吊り下げられた状態で固定した場合には、トランクスタイプのパンツでありながら、吸収パッド部（１６）のフィット性を向上させることができ、漏れ防止効果を発揮する。
【図面の簡単な説明】
【図１】図１は、本発明の実施例に係る失禁者用パンツの構成を示す斜視図である。
【図２】図２は、実施例に係る失禁者用パンツの構成を示す内部側面図である。
【図３】図３は、実施例に係る失禁者用パンツに使用される吸収パッド部の構成を示す内側平面図である。
【図４】図４は、実施例に係る失禁者用パンツに使用される吸収パッド部の構成を示す外側平面図である。
【図５】図５は、実施例に係る失禁者用パンツに使用される吸収パッド部の構成を示す内側平面図であり、各部のサイズを示す。
【図６】図６は、実施例に係る失禁者用パンツに使用される吸収パッド部の使用状態の姿勢を示す斜視図である。
【符号の説明】
１０      失禁者用パンツ
１２      パンツ本体部
１６      吸収パッド部
１８      排尿窓
２０      吸収体
２２      サポート部（伸縮性メッシュ）
【図１】
0003910035.tif 000002
【図２】
0003910035.tif 000003
【図３】
0003910035.tif 000004
【図４】
0003910035.tif 000005
【図５】
0003910035.tif 000006
【図６】
0003910035.tif 000007